【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
強化された新規キャリアタイプ（ｅＮＣＴ）のセルのためのワイヤレス通信の方法であって、
休止状態にいる間、低デューティサイクルでダウンリンク共通信号およびチャネルを基地局から送信することと、低デューティサイクルでアップリンク検出信号およびチャネルを受信すること、前記ダウンリンク共通信号およびチャネルを送信した後、前記基地局が前記ダウンリンク共通信号およびチャネルを送信するために指定された時間を超えて起きたままであるように、アップリンク検出信号およびチャネルの送信のタイミングおよび周期性は、前記ダウンリンク共通信号およびチャネルの送信にスレーブ状態にある、と、
アクティブ状態にいる間、高デューティサイクルでダウンリンク共通信号およびチャネルを前記基地局から送信することと
を備える、方法。
【請求項２】
前記低デューティサイクルで送信される前記共通信号およびチャネルは、同期信号、物理ブロードキャストチャネル（ＰＢＣＨ）、共通基準信号（ＣＲＳ）、セル検出信号（ＣＤＳ）、またはこれらの組み合わせのうちの１つまたは複数のものを備える、
請求項１に記載の方法。
【請求項３】
少なくとも１つのセル検出信号は、固有セルＩＤ、アクセスパラメータ、またはこれらの組み合わせのうちの１つまたは複数のものを備える、
請求項２に記載の方法。
【請求項４】
前記高デューティサイクルで送信される前記共通信号およびチャネルは、同期信号、物理ブロードキャストチャネル（ＰＢＣＨ）、共通基準信号（ＣＲＳ）、システム情報ブロック（ＳＩＢ）、データチャネル、またはこれらの組み合わせのうちの１つまたは複数のものを備える、
請求項１に記載の方法。
【請求項５】
前記ＳＩＢは、共通信号／チャネル周期性、共通信号／チャネル帯域幅、送信アンテナパラメータ、またはこれらの組み合わせのうちの１つまたは複数のものを備える、
請求項４に記載の方法。
【請求項６】
トリガを受信することと、
前記受信したトリガに少なくとも部分的に基づいてアクティブ状態と休止状態との間でセルを切り替えることと
をさらに備える、請求項１に記載の方法。
【請求項７】
前記トリガは、ユーザ機器検出信号（ＵＤＳ）であり、前記ＵＤＳは、サウンディング基準信号（ＳＲＳ）または物理ランダムアクセスチャネル（ＰＲＡＣＨ）信号を備える、
請求項６に記載の方法。
【請求項８】
前記ＰＲＡＣＨ信号は、物理ダウンリンク制御チャネル（ＰＤＣＣＨ）メッセージに応じて送信される、
請求項７に記載の方法。
【請求項９】
前記ＵＥ検出信号は、ランダムに選択されるリソースブロックロケーションで物理アップリンク共有チャネル（ＰＵＳＣＨ）にマッピングされる、
請求項８に記載の方法。
【請求項１０】
前記トリガは、サービングセルによって送信されたハンドオーバメッセージである、
請求項６の方法。
【請求項１１】
受信した物理ランダムアクセスチャネル（ＰＲＡＣＨ）信号に少なくとも部分的に基づいて新規キャリアタイプのモードとレガシキャリアタイプのモードとの間で切り替えることをさらに備える、
請求項６に記載の方法。
【請求項１２】
物理ランダムアクセスチャネル（ＰＲＡＣＨ）信号を受信することと
前記受信したＰＲＡＣＨ信号に少なくとも部分的に基づいて新規キャリアタイプのモードとレガシキャリアタイプのモードとの間で切り替えることと
をさらに備える、請求項１に記載の方法。
【請求項１３】
強化された新規キャリアタイプ（ｅＮＣＴ）のセルのためのワイヤレス通信のための装置であって、
休止状態にいる間、低デューティサイクルでダウンリンク共通信号およびチャネルを基地局から送信するための手段と、低デューティサイクルでアップリンク検出信号およびチャネルを受信するための手段、前記ダウンリンク共通信号およびチャネルを送信した後、前記基地局が前記ダウンリンク共通信号およびチャネルを送信するために指定された時間を超えて起きたままであるように、アップリンク検出信号およびチャネルの送信のタイミングおよび周期性は、前記ダウンリンク共通信号およびチャネルの送信にスレーブ状態にある、と、
アクティブ状態にいる間、高デューティサイクルでダウンリンク共通信号およびチャネルを前記基地局から送信するための手段と
を備える、装置。
【請求項１４】
トリガを受信するための手段と、
前記受信したトリガに少なくとも部分的に基づいてアクティブ状態と休止状態との間でセルを切り替えるための手段と
をさらに備える、請求項１３に記載の装置。
【請求項１５】
ワイヤレス通信のためのコンピュータプログラム製品であって、その上に記憶されたプログラムコードを有するコンピュータ可読媒体を備え、前記プログラムコードは、コンピュータで実行されたとき、請求項１乃至１２のいずれか１項に記載の方法を実行するための命令を備える、ワイヤレス通信のためのコンピュータプログラム製品。
【手続補正２】
【補正対象書類名】明細書
【補正対象項目名】０１１５
【補正方法】変更
【補正の内容】
【０１１５】
[00126]本開示の先の説明は、当業者が本開示を行なうまたは使用することを可能にするために提供される。本開示への様々な変更は、当業者にとって容易に明らかであろう、また、ここで定義される一般的な原理は、本開示の範囲または精神から逸脱することなく他の変更に適用されうる。よって、本開示は、本明細書において説明される実例および設計に限定されるように意図されたものではなく、本明細書において開示された原理および新規の特徴と矛盾しない最大範囲であると認められるべきである。
以下に、出願当初の特許請求の範囲に記載された発明を付記する。
［Ｃ１］
強化された新規キャリアタイプ（ｅＮＣＴ）のセルのためのワイヤレス通信の方法であって、
休止状態にいる間、低デューティサイクルでダウンリンク共通信号およびチャネルを送信することと、
アクティブ状態にいる間、高デューティサイクルでダウンリンク共通信号およびチャネルを送信することとを備える、方法。
［Ｃ２］
前記低いデューティサイクルで送信される前記共通信号およびチャネルは、同期信号、物理ブロードキャストチャネル（ＰＢＣＨ）、共通基準信号（ＣＲＳ）、セル検出信号（ＣＤＳ）、またはこれらの組み合わせのうちの１つまたは複数のものを備える、Ｃ１に記載の方法。
［Ｃ３］
少なくとも１つのセル検出信号は、固有セルＩＤ、アクセスパラメータ、またはこれらの組み合わせのうちの１つまたは複数のものを備える、Ｃ２に記載の方法。
［Ｃ４］
前記高デューティサイクルで送信される前記共通信号およびチャネルは、同期信号、物理ブロードキャストチャネル（ＰＢＣＨ）、共通基準信号（ＣＲＳ）、システム情報ブロック（ＳＩＢ）、データチャネル、またはこれらの組み合わせのうちの１つまたは複数のものを備える、Ｃ１に記載の方法。
［Ｃ５］
前記ＳＩＢは、共通信号／チャネル周期性、共通信号／チャネル帯域幅、送信アンテナパラメータ、またはこれらの組み合わせのうちの１つまたは複数のものを備える、Ｃ４に記載の方法。
［Ｃ６］
セルによるワイヤレス通信の方法であって、
トリガを受信することと、
前記受信したトリガに少なくとも部分的に基づいてアクティブ状態と休止状態との間でセルを切り替えることとを備える、方法。
［Ｃ７］
前記トリガは、ユーザ機器検出信号（ＵＤＳ）であり、前記ＵＤＳは、サウンディング基準信号（ＳＲＳ）または物理ランダムアクセスチャネル（ＰＲＡＣＨ）信号を備える、Ｃ６に記載の方法。
［Ｃ８］
前記ＰＲＡＣＨ信号は、物理ダウンリンク制御チャネル（ＰＤＣＣＨ）メッセージに応じて送信される、Ｃ７に記載の方法。
［Ｃ９］
前記ＵＥ検出信号は、ランダムに選択されるリソースブロックロケーションで物理アップリンク共有チャネル（ＰＵＳＣＨ）にマッピングされる、Ｃ８に記載の方法。
［Ｃ１０］
前記トリガは、サービングセルによって送信されたハンドオーバメッセージである、Ｃ６の方法。
［Ｃ１１］
受信した物理ランダムアクセスチャネル（ＰＲＡＣＨ）信号に少なくとも部分的に基づいて新規キャリアタイプのモードとレガシキャリアタイプのモードとの間で切り替えることをさらに備える、Ｃ６に記載の方法。
［Ｃ１２］
ブートストラップされたモードにおけるワイヤレス通信の方法であって、
システム情報を取得するために、レガシキャリアタイプ（ＬＣＴ）セルに接続することと、
前記取得したシステム情報に少なくとも部分的に基づいて休止状態の強化された新規キャリアタイプ（ｅＮＣＴ）のセルに遷移することとを備える、方法。
［Ｃ１３］
前記システム情報は、休止状態のｅＮＣＴのセルにおける共通チャネル周期性、タイミング、帯域幅、アンテナ情報、またはこれらの組み合わせのうちの１つまたは複数のものである、Ｃ１２に記載の方法。
［Ｃ１４］
スタンドアローンモードにおけるワイヤレス通信の方法であって、
レガシキャリアタイプに最初に所属せずにアクティブな強化された新規キャリアタイプ（ｅＮＣＴ）に接続することを備え、前記接続することは、ユーザ機器（ＵＥ）がアイドル状態であるときに確立される、方法。
［Ｃ１５］
ワイヤレス通信の方法であって、
物理ランダムアクセスチャネル（ＰＲＡＣＨ）信号を受信することと
前記受信したＰＲＡＣＨ信号に少なくとも部分的に基づいて新規キャリアタイプのモードとレガシキャリアタイプのモードとの間で切り替えることとを備える、方法。
［Ｃ１６］
前記ＰＲＡＣＨ信号は、物理ダウンリンク制御チャネルに応じて受信され、前記ＰＤＣＣＨトリガは、サービング基地局から送信される、Ｃ１５に記載の方法。
［Ｃ１７］
ワイヤレス通信のための装置であって、
メモリと
前記メモリに結合される少なくとも１つのプロセッサと
を備え、前記少なくとも１つのプロセッサは、
休止状態にいる間、低デューティサイクルでダウンリンク共通信号およびチャネルを送信することと、
アクティブ状態にいる間、高デューティサイクルでダウンリンク共通信号およびチャネルを送信することと
を行うように構成される、装置。
［Ｃ１８］
前記低デューティサイクルで送信される前記共通信号およびチャネルは、同期信号、物理ブロードキャストチャネル（ＰＢＣＨ）、共通基準信号（ＣＲＳ）、セル検出信号（ＣＤＳ）、またはこれらの組み合わせのうちの１つまたは複数のものを備える、Ｃ１７に記載の装置。
［Ｃ１９］
少なくとも１つのセル検出信号は、固有セルＩＤ、アクセスパラメータ、またはこれらの組み合わせのうちの１つまたは複数のものを備える、Ｃ１８に記載の装置。
［Ｃ２０］
前記高デューティサイクルで送信される前記共通信号およびチャネルは、同期信号、物理ブロードキャストチャネル（ＰＢＣＨ）、共通基準信号（ＣＲＳ）、システム情報ブロック（ＳＩＢ）、データチャネル、またはこれらの組み合わせのうちの１つまたは複数のものを備える、Ｃ１７に記載の装置。
［Ｃ２１］
前記ＳＩＢは、共通信号／チャネル周期性、共通信号／チャネル帯域幅、送信アンテナパラメータ、またはこれらの組み合わせのうちの１つまたは複数のものを備える、Ｃ２０に記載の装置。
［Ｃ２２］
ワイヤレス通信のための装置であって、
メモリと、
前記メモリに結合される少なくとも１つのプロセッサと
を備え、前記少なくとも１つのプロセッサは、
トリガを受信することと、
前記受信したトリガに少なくとも部分的に基づいてアクティブ状態と休止状態との間でセルを切り替えることとを行うように構成される、装置。
［Ｃ２３］
前記トリガは、ユーザ機器検出信号（ＵＤＳ）であり、前記ＵＤＳは、サウンディング基準信号（ＳＲＳ）または物理ランダムアクセスチャネル（ＰＲＡＣＨ）信号を備える、Ｃ２２に記載の装置。
［Ｃ２４］
前記ＰＲＡＣＨ信号は、物理ダウンリンク制御チャネル（ＰＤＣＣＨ）メッセージに応じて送信される、Ｃ２３に記載の装置。
［Ｃ２５］
前記ＵＥ検出信号は、ランダムに選択されるリソースブロックロケーションで物理アップリンク共有チャネル（ＰＵＳＣＨ）にマッピングされる、Ｃ２４に記載の装置。
［Ｃ２６］
前記トリガは、サービングセルによって送信されたハンドオーバメッセージである、Ｃ２２の装置。
［Ｃ２７］
前記少なくとも１つのプロセッサは、受信した物理ランダムアクセスチャネル（ＰＲＡＣＨ）信号に少なくとも部分的に基づいて新規キャリアタイプのモードとレガシキャリアタイプのモードとの間で切り替えることを行うようにさらに構成される、Ｃ２２に記載の装置。
［Ｃ２８］
ワイヤレス通信のための装置であって、
メモリと、
前記メモリに結合される少なくとも１つのプロセッサと
を備え、前記少なくとも１つのプロセッサは、
システム情報を取得するために、レガシキャリアタイプ（ＬＣＴ）セルに接続することと、
前記取得したシステム情報に少なくとも部分的に基づいて休止状態の強化された新規キャリアタイプ（ｅＮＣＴ）のセルに遷移することとを行うように構成される、装置。
［Ｃ２９］
前記システム情報は、休止状態のｅＮＣＴのセルにおける共通チャネル周期性、タイミング、帯域幅、アンテナ情報、またはこれらの組み合わせのうちの１つまたは複数のものである、Ｃ２８に記載の装置。
［Ｃ３０］
ワイヤレス通信のための装置であって、
メモリと、
前記メモリに結合される少なくとも１つのプロセッサと
を備え、前記少なくとも１つのプロセッサは、
ユーザ機器（ＵＥ）がアイドル状態にいるときに、レガシキャリアタイプに最初に所属せずにアクティブな強化された新規キャリアタイプ（ｅＮＣＴ）に接続することを備える、装置。
［Ｃ３１］
ワイヤレス通信のための装置であって、
メモリと、
前記メモリに結合される少なくとも１つのプロセッサと
を備え、前記少なくとも１つのプロセッサは、
物理ランダムアクセスチャネル（ＰＲＡＣＨ）信号を受信することと
前記受信したＰＲＡＣＨ信号に少なくとも部分的に基づいて新規キャリアタイプのモードとレガシキャリアタイプのモードとの間で切り替えることとを行うように構成される、装置。
［Ｃ３２］
前記ＰＲＡＣＨ信号は、物理ダウンリンク制御チャネルに応じて受信され、前記ＰＤＣＣＨトリガは、サービング基地局から送信される、Ｃ３１に記載の装置。
［Ｃ３３］
ワイヤレス通信のための装置であって、
休止状態にいる間、低デューティサイクルでダウンリンク共通信号およびチャネルを送信するための手段と、
アクティブ状態にいる間、高デューティサイクルでダウンリンク共通信号およびチャネルを送信するための手段とを備える、装置。
［Ｃ３４］
ワイヤレス通信のための装置であって、
トリガを受信するための手段と、
前記受信したトリガに少なくとも部分的に基づいてアクティブ状態と休止状態との間でセルを切り替えるための手段とを備える、装置。
［Ｃ３５］
ワイヤレス通信のための装置であって、
システム情報を取得するために、レガシキャリアタイプ（ＬＣＴ）セルに接続するための手段と、
前記取得したシステム情報に少なくとも部分的に基づいて休止状態の強化された新規キャリアタイプ（ｅＮＣＴ）のセルに遷移するための手段とを備える、装置。
［Ｃ３６］
ワイヤレス通信のための装置であって、
オフ状態からアイドル状態に遷移するための手段と、
ユーザ機器（ＵＥ）がアイドル状態にいるとき、レガシキャリアタイプ（ＬＣＴ）に最初に所属せずに、アクティブな強化された新規キャリアタイプ（ｅＮＣＴ）に接続するための手段とを備える、装置。
［Ｃ３７］
ワイヤレス通信のための装置であって、
物理ランダムアクセスチャネル（ＰＲＡＣＨ）信号を受信するための手段と、
前記受信したＰＲＡＣＨ信号に少なくとも部分的に基づいて新規キャリアタイプのモードとレガシキャリアタイプのモードとの間で切り替えるための手段とを備える、装置。
［Ｃ３８］
ワイヤレス通信のためのコンピュータプログラム製品であって、その上に記憶されたプログラムコードを有する非一時的コンピュータ可読媒体を備え、前記プログラムコードは、
休止状態にいる間、低デューティサイクルでダウンリンク共通信号およびチャネルを送信するプログラムコードと、
アクティブ状態にいる間、高デューティサイクルでダウンリンク共通信号およびチャネルを送信するプログラムコードとを備える、コンピュータプログラム製品。
［Ｃ３９］
ワイヤレス通信のためのコンピュータプログラムであって、
その上に記憶されたプログラムコードを有する非一時的コンピュータ可読媒体を備え、前記プログラムコードは、
トリガを受信するプログラムコードと、
前記受信したトリガに少なくとも部分的に基づいてアクティブ状態と休止状態との間でセルを切り替えるプログラムコードとを備える、コンピュータプログラム製品。
［Ｃ４０］
ワイヤレス通信のためのコンピュータプログラム製品であって、
その上に記憶されたプログラムコードを有する非一時的コンピュータ可読媒体を備え、前記プログラムコードは、
システム情報を取得するために、レガシキャリアタイプ（ＬＣＴ）セルに接続するプログラムコードと、
前記取得したシステム情報に少なくとも部分的に基づいて休止状態の強化された新規キャリアタイプ（ｅＮＣＴ）のセルに遷移するプログラムコードとを備えるコンピュータプログラム製品。
［Ｃ４１］
ワイヤレス通信のためのコンピュータプログラム製品であって、
その上に記憶されたプログラムコードを有する非一時的コンピュータ可読媒体を備え、前記プログラムコードは、
ユーザ機器（ＵＥ）がアイドル状態にいるとき、レガシキャリアタイプに最初に所属せずにアクティブな強化された新規キャリアタイプ（ｅＮＣＴ）に接続するプログラムコードを備え、コンピュータプログラム製品。
［Ｃ４２］
ワイヤレス通信のためのコンピュータプログラム製品であって、
その上に記憶されたプログラムコードを有する非一時的コンピュータ可読媒体を備え、前記プログラムコードは、
物理ランダムアクセスチャネル（ＰＲＡＣＨ）信号を受信することと
前記受信したＰＲＡＣＨ信号に少なくとも部分的に基づいて新規キャリアタイプモードとレガシキャリアタイプモードとの間で切り替えることとを備える、方法。